(57)【要約】      （修正有）【課題】移動局装置が同一のＰＵＳＣＨを用いて複数の上りリンクデータを基地局装置に送信する無線通信システムにおいて、ＨＡＲＱバッファに記憶されている上りリンクデータの制御の効率化を提供する。【解決手段】移動局は同一のＰＵＳＣＨで送信される全ての上りリンクデータに対して処理を行なったと判定した場合は、ＲＲＣシグナルを用いて通知してもよい。移動局は、上りリンクデータに対するCURRENT_TX_NB[TB]のうちいずれかが‘Nmax−１’と等しいと判定した場合は、このＨＡＲＱプロセスに関するＨＡＲＱバッファに記憶されている全ての上りリンクデータを消去する。移動局は、上りリンクデータに対するCURRENT_TX_NB[TB]全て‘Nmax−１’と等しくないと判定した場合は、このＨＡＲＱプロセスに関するＨＡＲＱバッファに記憶されている全ての上りリンクデータを消去せず、保持する。【選択図】図６
2011223127.tif 000002
【特許請求の範囲】
【請求項１】
同一の上りリンク共用チャネルを用いて複数の上りリンクデータを基地局装置に送信する移動局装置において、
前記同一の上りリンク共用チャネルで送信される上りリンクデータ毎に、前記上りリンクデータを再送信した回数をカウントし、
前記同一の上りリンク共用チャネルで送信される上りリンクデータのうち、いずれかの前記上りリンクデータの再送信の回数が所定の値に達したら、前記上りリンクデータ全てをバッファから消去することを特徴とする移動局装置。
【請求項２】
同一の上りリンク共用チャネルを用いて複数の上りリンクデータを基地局装置に送信する移動局装置において、
前記同一の上りリンク共用チャネルで送信される上りリンクデータ毎に、前記上りリンクデータを再送信した回数をカウントし、
前記同一の上りリンク共用チャネルで送信される上りリンクデータのうち、いずれかの前記上りリンクデータの再送信の回数が所定の値に達したら、前記再送信の回数が所定の値に達した上りリンクデータのみをバッファから消去することを特徴とする移動局装置。
【請求項３】
同一の上りリンク共用チャネルを用いて複数の上りリンクデータを基地局装置に送信する移動局装置において、
前記同一の上りリンク共用チャネルで送信される上りリンクデータ毎に、前記上りリンクデータを再送信した回数をカウントし、
前記同一の上りリンク共用チャネルで送信される上りリンクデータのうち、前記上りリンクデータ全ての再送信の回数が所定の値に達したら、前記上りリンクデータ全てをバッファから消去することを特徴とする移動局装置。
【請求項４】
同一の上りリンク共用チャネルを用いて複数の上りリンクデータを基地局装置に送信する移動局装置において、
前記同一の上りリンク共用チャネルで送信する複数の上りリンクデータのいずれかが初期送信の場合は前記同一の上りリンク共用チャネルで送信される複数の上りリンクデータで共通のカウンターを‘０’にセットし、
前記同一の上りリンク共用チャネルで送信する上りリンクデータ全てが再送信の場合に前記カウンターを‘１’インクリメントし、
前記カウンターが所定の値に達したら、前記上りリンクデータ全てをバッファから消去することを特徴とする移動局装置。
【請求項５】
同一の上りリンク共用チャネルを用いて複数の上りリンクデータを基地局装置に送信する移動局装置において、
前記上りリンク共用チャネルに対する下りリンク制御情報を受信した場合は前記同一の上りリンク共用チャネルで送信される複数の上りリンクデータで共通のカウンターを‘０’にセットし、
前記上りリンクチャネルで送信する上りリンクデータをｎｏｎ−ａｄａｐｔｉｖｅ  ＨＡＲＱで再送信する場合に前記カウンターを‘１’インクリメントし、
前記カウンターが所定の値に達したら、前記上りリンクデータ全てをバッファから消去することを特徴とする移動局装置。
【請求項６】
同一の上りリンク共用チャネルを用いて複数の上りリンクデータを基地局装置に送信する移動局装置に用いられる無線通信方法において、
前記同一の上りリンク共用チャネルで送信される上りリンクデータ毎に、前記上りリンクデータを再送信した回数をカウントするステップと、
前記同一の上りリンク共用チャネルで送信される上りリンクデータのうち、いずれかの前記上りリンクデータの再送信の回数が所定の値に達したら、前記上りリンクデータ全てをバッファから消去するステップを有することを特徴とする無線通信方法。
【請求項７】
同一の上りリンク共用チャネルを用いて複数の上りリンクデータを基地局装置に送信する移動局装置に用いられる無線通信方法において、
前記同一の上りリンク共用チャネルで送信される上りリンクデータ毎に、前記上りリンクデータを再送信した回数をカウントするステップと、
前記同一の上りリンク共用チャネルで送信される上りリンクデータのうち、いずれかの前記上りリンクデータの再送信の回数が所定の値に達したら、前記再送信の回数が所定の値に達した上りリンクデータのみをバッファから消去するステップを有することを特徴とする無線通信方法。
【請求項８】
同一の上りリンク共用チャネルを用いて複数の上りリンクデータを基地局装置に送信する移動局装置に用いられる無線通信方法において、
前記同一の上りリンク共用チャネルで送信される上りリンクデータ毎に、前記上りリンクデータを再送信した回数をカウントするステップと、
前記同一の上りリンク共用チャネルで送信される上りリンクデータのうち、前記上りリンクデータ全ての再送信の回数が所定の値に達したら、前記上りリンクデータ全てをバッファから消去することを特徴とする無線通信方法。
【請求項９】
同一の上りリンク共用チャネルを用いて複数の上りリンクデータを基地局装置に送信する移動局装置に用いられる無線通信方法において、
前記同一の上りリンク共用チャネルで送信する複数の上りリンクデータのいずれかが初期送信の場合は前記同一の上りリンク共用チャネルで送信される複数の上りリンクデータで共通のカウンターを‘０’にセットするステップと、
前記同一の上りリンク共用チャネルで送信する上りリンクデータ全てが再送信の場合に前記カウンターを‘１’インクリメントするステップと、
前記カウンターが所定の値に達したら、前記上りリンクデータ全てをバッファから消去するステップを有することを特徴とする無線通信方法。
【請求項１０】
同一の上りリンク共用チャネルを用いて複数の上りリンクデータを基地局装置に送信する移動局装置に用いられる無線通信方法において、
前記上りリンク共用チャネルに対する下りリンク制御情報を受信した場合は前記同一の上りリンク共用チャネルで送信される複数の上りリンクデータで共通のカウンターを‘０’にセットするステップと、
前記上りリンクチャネルで送信する上りリンクデータをｎｏｎ−ａｄａｐｔｉｖｅ  ＨＡＲＱで再送信する場合に前記カウンターを‘１’インクリメントするステップと、
前記カウンターが所定の値に達したら、前記上りリンクデータ全てをバッファから消去するステップを有することを特徴とする無線通信方法。
【請求項１１】
同一の上りリンク共用チャネルを用いて複数の上りリンクデータを基地局装置に送信する移動局装置に用いられる集積回路において、
前記同一の上りリンク共用チャネルで送信される上りリンクデータ毎に、前記上りリンクデータを再送信した回数をカウントするステップと、
前記同一の上りリンク共用チャネルで送信される上りリンクデータのうち、いずれかの前記上りリンクデータの再送信の回数が所定の値に達したら、前記上りリンクデータ全てをバッファから消去するステップを有することを特徴とする集積回路。
【請求項１２】
同一の上りリンク共用チャネルを用いて複数の上りリンクデータを基地局装置に送信する移動局装置に用いられる集積回路において、
前記同一の上りリンク共用チャネルで送信される上りリンクデータ毎に、前記上りリンクデータを再送信した回数をカウントするステップと、
前記同一の上りリンク共用チャネルで送信される上りリンクデータのうち、いずれかの前記上りリンクデータの再送信の回数が所定の値に達したら、前記再送信の回数が所定の値に達した上りリンクデータのみをバッファから消去するステップを有することを特徴とする集積回路。
【請求項１３】
同一の上りリンク共用チャネルを用いて複数の上りリンクデータを基地局装置に送信する移動局装置に用いられる集積回路において、
前記同一の上りリンク共用チャネルで送信される上りリンクデータ毎に、前記上りリンクデータを再送信した回数をカウントするステップと、
前記同一の上りリンク共用チャネルで送信される上りリンクデータのうち、前記上りリンクデータ全ての再送信の回数が所定の値に達したら、前記上りリンクデータ全てをバッファから消去することを特徴とする集積回路。
【請求項１４】
同一の上りリンク共用チャネルを用いて複数の上りリンクデータを基地局装置に送信する移動局装置に用いられる集積回路において、
前記同一の上りリンク共用チャネルで送信する複数の上りリンクデータのいずれかが初期送信の場合は前記同一の上りリンク共用チャネルで送信される複数の上りリンクデータで共通のカウンターを‘０’にセットするステップと、
前記同一の上りリンク共用チャネルで送信する上りリンクデータ全てが再送信の場合に前記カウンターを‘１’インクリメントするステップと、
前記カウンターが所定の値に達したら、前記上りリンクデータ全てをバッファから消去するステップを有することを特徴とする集積回路。
【請求項１５】
同一の上りリンク共用チャネルを用いて複数の上りリンクデータを基地局装置に送信する移動局装置に用いられる集積回路において、
前記上りリンク共用チャネルに対する下りリンク制御情報を受信した場合は前記同一の上りリンク共用チャネルで送信される複数の上りリンクデータで共通のカウンターを‘０’にセットするステップと、
前記上りリンクチャネルで送信する上りリンクデータをｎｏｎ−ａｄａｐｔｉｖｅ  ＨＡＲＱで再送信する場合に前記カウンターを‘１’インクリメントするステップと、
前記カウンターが所定の値に達したら、前記上りリンクデータ全てをバッファから消去するステップを有することを特徴とする集積回路。
【発明の詳細な説明】
【技術分野】
【０００１】
本発明は、移動局装置、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、受信側で復号に失敗したデータが破棄されずに再送信されたデータと組み合わせて復号されるＨＡＲＱ（Hybrid Automatic Repeat reQuest）が用いられる。基地局装置は、ＰＤＣＣＨ（Physical Downlink Control Channel）で送信される下りリンク制御情報（Downlink Control Information: DCI）を用いて上りリンクデータ（または、「uplink shared channel: UL-SCH」と称する。）送信用のチャネルであるＰＵＳＣＨ（Physical Uplink Shared Channel）の初期送信または再送信を移動局装置に指示する。
【０００４】
基地局装置は、移動局装置が送信するＰＵＳＣＨを受信し、上りリンクデータの復号の成否を示すＨＡＲＱインディケータをＰＨＩＣＨ（Physical HARQ Indicator Channel）で送信する。ＨＡＲＱインディケータは、ＡＣＫ（ACKnowledgement）またはＮＡＣＫ（Negative ACKnowledgement）を示す。基地局装置が上りリンクデータの復号に成功した場合は、ＨＡＲＱインディケータはＡＣＫを示し、基地局装置が上りリンクデータの復号に失敗した場合は、ＨＡＲＱインディケータはＮＡＣＫを示す。移動局装置は、ＰＨＩＣＨで受信したＨＡＲＱインディケータでＮＡＣＫを示された場合、または下りリンク制御情報でＰＵＳＣＨの再送信を指示された場合にＰＵＳＣＨの再送信を行なう。基地局装置は、上りリンクデータの最大送信回数を移動局装置に設定することができる。移動局装置は、上りリンクデータの送信回数が最大送信回数に達した場合、上りリンクデータをＨＡＲＱバッファから消去する。
【０００５】
３ＧＰＰでは、ＬＴＥより広帯域な周波数帯域を利用して、さらに高速なデータの通信を実現する無線アクセス方式および無線ネットワーク（以下、「Long Term Evolution-Advanced （LTE-A）」、または、「Advanced Evolved Universal Terrestrial Radio Access （A-EUTRA）」と称する。）が検討されている。ＬＴＥ−Ａでは、ＬＴＥとの後方互換性（backward compatibility）を持つこと、つまり、ＬＴＥ−Ａの基地局装置が、ＬＴＥ−ＡおよびＬＴＥ両方の移動局装置と同時に無線通信を行なうこと、およびＬＴＥ−Ａの移動局装置が、ＬＴＥ−ＡおよびＬＴＥ両方の基地局装置と無線通信を行えるようにすることが求められており、ＬＴＥ−ＡはＬＴＥと同一のチャネル構造を用いることが検討されている。
【０００６】
ＬＴＥ−Ａでは、上りリンクの周波数利用効率を向上させるためにＰＵＳＣＨにＭＩＭＯ（Multiple Input Multiple Output）ＳＭ（Spatial Multiplexing）を用いることが検討されている。ＭＩＭＯ  ＳＭを用いることで、移動局装置は１つのＰＵＳＣＨに複数の上りリンクデータを空間多重して送信することができる。非特許文献１には、同一のＰＵＳＣＨで送信された複数の上りリンクデータ毎に独立してＨＡＲＱを行なうことが記載されている。同一のＰＵＳＣＨで送信された複数の上りリンクデータ毎に独立してＨＡＲＱを行なうには、基地局装置が上りリンクデータ毎にＨＡＲＱインディケータを送信する、または初期送信か再送信かを示すＨＡＲＱに関連する情報を上りリンクデータ毎に下りリンク制御情報に含める必要がある。
【先行技術文献】
【非特許文献】
【０００７】
【非特許文献１】" Investigation of Layer Shifting and HARQ Spatial Bundling for UL SU-MIMO", 3GPP TSG RAN WG1 Meeting #60, R1-101655, February 22-26, 2010.
【発明の概要】
【発明が解決しようとする課題】
【０００８】
しかしながら、従来の技術では、同一のＰＵＳＣＨで送信される複数の上りリンクデータ毎にＨＡＲＱを行なうため、同一のＰＵＳＣＨで送信される上りリンクデータ毎に送信回数が異なるが、どのように複数の上りリンクデータの送信回数をカウントし、複数の上りリンクデータの送信回数がどのような回数になった場合にＨＡＲＱバッファから上りリンクデータを消去するかについて開示されていない。基地局装置が、どのような場合に移動局装置がＨＡＲＱバッファから上りリンクデータを消去するかを認識できていないと、基地局装置が移動局装置に上りリンクデータの再送信をさせたいにも係らず、移動局装置が上りリンクデータをＨＡＲＱバッファから消去してしまうという問題があった。
【０００９】
本発明は上記の点に鑑みてなされたものであり、その目的は、移動局装置が同一のＰＵＳＣＨを用いて複数の上りリンクデータを基地局装置に送信する無線通信システムにおいて、ＨＡＲＱバッファに記憶されている上りリンクデータの制御を効率的に行なうことができる移動局装置、無線通信方法および集積回路を適用することを目的とする。
【課題を解決するための手段】
【００１０】
（１）上記の目的を達成するために、本発明は、以下のような手段を講じた。すなわち、本発明の移動局装置は、同一の上りリンク共用チャネルを用いて複数の上りリンクデータを基地局装置に送信する移動局装置であり、前記同一の上りリンク共用チャネルで送信される上りリンクデータ毎に、前記上りリンクデータを再送信した回数をカウントし、前記同一の上りリンク共用チャネルで送信される上りリンクデータのうち、いずれかの前記上りリンクデータの再送信の回数が所定の値に達したら、前記上りリンクデータ全てをバッファから消去することを特徴としている。
【００１１】
（２）また、本発明の移動局装置は、同一の上りリンク共用チャネルを用いて複数の上りリンクデータを基地局装置に送信する移動局装置であり、前記同一の上りリンク共用チャネルで送信される上りリンクデータ毎に、前記上りリンクデータを再送信した回数をカウントし、前記同一の上りリンク共用チャネルで送信される上りリンクデータのうち、いずれかの前記上りリンクデータの再送信の回数が所定の値に達したら、前記再送信の回数が所定の値に達した上りリンクデータのみをバッファから消去することを特徴としている。
【００１２】
（３）また、本発明の移動局装置は、同一の上りリンク共用チャネルを用いて複数の上りリンクデータを基地局装置に送信する移動局装置であり、前記同一の上りリンク共用チャネルで送信される上りリンクデータ毎に、前記上りリンクデータを再送信した回数をカウントし、前記同一の上りリンク共用チャネルで送信される上りリンクデータのうち、前記上りリンクデータ全ての再送信の回数が所定の値に達したら、前記上りリンクデータ全てをバッファから消去することを特徴としている。
【００１３】
（４）また、本発明の移動局装置は、同一の上りリンク共用チャネルを用いて複数の上りリンクデータを基地局装置に送信する移動局装置であり、前記同一の上りリンク共用チャネルで送信する複数の上りリンクデータのいずれかが初期送信の場合は前記同一の上りリンク共用チャネルで送信される複数の上りリンクデータで共通のカウンターを‘０’にセットし、前記同一の上りリンク共用チャネルで送信する上りリンクデータ全てが再送信の場合に前記カウンターを‘１’インクリメントし、前記カウンターが所定の値に達したら、前記上りリンクデータ全てをバッファから消去することを特徴としている。
【００１４】
（５）また、本発明の移動局装置は、同一の上りリンク共用チャネルを用いて複数の上りリンクデータを基地局装置に送信する移動局装置であり、前記上りリンク共用チャネルに対する下りリンク制御情報を受信した場合は前記同一の上りリンク共用チャネルで送信される複数の上りリンクデータで共通のカウンターを‘０’にセットし、前記上りリンクチャネルで送信する上りリンクデータをｎｏｎ−ａｄａｐｔｉｖｅ  ＨＡＲＱで再送信する場合に前記カウンターを‘１’インクリメントし、前記カウンターが所定の値に達したら、前記上りリンクデータ全てをバッファから消去することを特徴としている。
【００１５】
（６）また、本発明の無線通信方法は、同一の上りリンク共用チャネルを用いて複数の上りリンクデータを基地局装置に送信する無線通信方法であり、前記同一の上りリンク共用チャネルで送信される上りリンクデータ毎に、前記上りリンクデータを再送信した回数をカウントするステップと、前記同一の上りリンク共用チャネルで送信される上りリンクデータのうち、いずれかの前記上りリンクデータの再送信の回数が所定の値に達したら、前記上りリンクデータ全てをバッファから消去するステップを有することを特徴としている。
【００１６】
（７）また、本発明の無線通信方法は、同一の上りリンク共用チャネルを用いて複数の上りリンクデータを基地局装置に送信する無線通信方法であり、前記同一の上りリンク共用チャネルで送信される上りリンクデータ毎に、前記上りリンクデータを再送信した回数をカウントするステップと、前記同一の上りリンク共用チャネルで送信される上りリンクデータのうち、いずれかの前記上りリンクデータの再送信の回数が所定の値に達したら、前記再送信の回数が所定の値に達した上りリンクデータのみをバッファから消去するステップを有することを特徴としている。
【００１７】
（８）また、本発明の無線通信方法は、同一の上りリンク共用チャネルを用いて複数の上りリンクデータを基地局装置に送信する無線通信方法であり、前記同一の上りリンク共用チャネルで送信される上りリンクデータ毎に、前記上りリンクデータを再送信した回数をカウントするステップと、前記同一の上りリンク共用チャネルで送信される上りリンクデータのうち、前記上りリンクデータ全ての再送信の回数が所定の値に達したら、前記上りリンクデータ全てをバッファから消去することを特徴としている。
【００１８】
（９）また、本発明の無線通信方法は、同一の上りリンク共用チャネルを用いて複数の上りリンクデータを基地局装置に送信する無線通信方法であり、前記同一の上りリンク共用チャネルで送信する複数の上りリンクデータのいずれかが初期送信の場合は前記同一の上りリンク共用チャネルで送信される複数の上りリンクデータで共通のカウンターを‘０’にセットするステップと、前記同一の上りリンク共用チャネルで送信する上りリンクデータ全てが再送信の場合に前記カウンターを‘１’インクリメントするステップと、前記カウンターが所定の値に達したら、前記上りリンクデータ全てをバッファから消去するステップを有することを特徴としている。
【００１９】
（１０）また、本発明の無線通信方法は、同一の上りリンク共用チャネルを用いて複数の上りリンクデータを基地局装置に送信する無線通信方法であり、前記上りリンク共用チャネルに対する下りリンク制御情報を受信した場合は前記同一の上りリンク共用チャネルで送信される複数の上りリンクデータで共通のカウンターを‘０’にセットするステップと、前記上りリンクチャネルで送信する上りリンクデータをｎｏｎ−ａｄａｐｔｉｖｅ  ＨＡＲＱで再送信する場合に前記カウンターを‘１’インクリメントするステップと、前記カウンターが所定の値に達したら、前記上りリンクデータ全てをバッファから消去するステップを有することを特徴としている。
【００２０】
（１１）また、本発明の集積回路は、同一の上りリンク共用チャネルを用いて複数の上りリンクデータを基地局装置に送信する集積回路であり、前記同一の上りリンク共用チャネルで送信される上りリンクデータ毎に、前記上りリンクデータを再送信した回数をカウントするステップと、前記同一の上りリンク共用チャネルで送信される上りリンクデータのうち、いずれかの前記上りリンクデータの再送信の回数が所定の値に達したら、前記上りリンクデータ全てをバッファから消去するステップを有することを特徴としている。
【００２１】
（１２）また、本発明の集積回路は、同一の上りリンク共用チャネルを用いて複数の上りリンクデータを基地局装置に送信する集積回路であり、前記同一の上りリンク共用チャネルで送信される上りリンクデータ毎に、前記上りリンクデータを再送信した回数をカウントするステップと、前記同一の上りリンク共用チャネルで送信される上りリンクデータのうち、いずれかの前記上りリンクデータの再送信の回数が所定の値に達したら、前記再送信の回数が所定の値に達した上りリンクデータのみをバッファから消去するステップを有することを特徴としている。
【００２２】
（１３）また、本発明の集積回路は、同一の上りリンク共用チャネルを用いて複数の上りリンクデータを基地局装置に送信する集積回路であり、前記同一の上りリンク共用チャネルで送信される上りリンクデータ毎に、前記上りリンクデータを再送信した回数をカウントするステップと、前記同一の上りリンク共用チャネルで送信される上りリンクデータのうち、前記上りリンクデータ全ての再送信の回数が所定の値に達したら、前記上りリンクデータ全てをバッファから消去することを特徴としている。
【００２３】
（１４）また、本発明の集積回路は、同一の上りリンク共用チャネルを用いて複数の上りリンクデータを基地局装置に送信する集積回路であり、前記同一の上りリンク共用チャネルで送信する複数の上りリンクデータのいずれかが初期送信の場合は前記同一の上りリンク共用チャネルで送信される複数の上りリンクデータで共通のカウンターを‘０’にセットするステップと、前記同一の上りリンク共用チャネルで送信する上りリンクデータ全てが再送信の場合に前記カウンターを‘１’インクリメントするステップと、前記カウンターが所定の値に達したら、前記上りリンクデータ全てをバッファから消去するステップを有することを特徴としている。
【００２４】
（１５）また、本発明の集積回路は、同一の上りリンク共用チャネルを用いて複数の上りリンクデータを基地局装置に送信する集積回路であり、前記上りリンク共用チャネルに対する下りリンク制御情報を受信した場合は前記同一の上りリンク共用チャネルで送信される複数の上りリンクデータで共通のカウンターを‘０’にセットするステップと、前記上りリンクチャネルで送信する上りリンクデータをｎｏｎ−ａｄａｐｔｉｖｅ  ＨＡＲＱで再送信する場合に前記カウンターを‘１’インクリメントするステップと、前記カウンターが所定の値に達したら、前記上りリンクデータ全てをバッファから消去するステップを有することを特徴としている。
【発明の効果】
【００２５】
この発明によれば、移動局装置が同一のＰＵＳＣＨを用いて複数の上りリンクデータを基地局装置に送信する無線通信システムにおいて、ＨＡＲＱバッファに記憶されている上りリンクデータの制御を効率的に行なうことができる。
【図面の簡単な説明】
【００２６】
【図１】本発明の第１の実施形態に係る無線通信システムの概念図である。
【図２】本発明の下りリンクの無線フレームの構成の一例を示す概略図である。
【図３】本発明の上りリンクの無線フレームの構成の一例を示す概略図である。
【図４】本発明の上りリンクのＨＡＲＱプロセスを説明するための概略図である。
【図５】本発明のＨＡＲＱプロセスの動作を示すフローチャート図である。
【図６】本発明の移動局装置１の動作の一例を示すフローチャート図である。
【図７】本発明の移動局装置１の構成を示す概略ブロック図である。
【図８】本発明の基地局装置３の構成を示す概略ブロック図である。
【図９】本発明の第２の実施形態の移動局装置１の動作の一例を示すフローチャート図である。
【図１０】本発明の第３の実施形態の移動局装置１の動作の一例を示すフローチャート図である。
【図１１】本発明の第４の実施形態の移動局装置１の動作の一例を示すフローチャート図である。
【図１２】本発明の第５の実施形態の移動局装置１の動作の一例を示すフローチャート図である。
【発明を実施するための形態】
【００２７】
（第１の実施形態）
以下、図面を参照しながら本発明の第１の実施形態について詳しく説明する。
【００２８】
図１は、本発明の第１の実施形態に係る無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００２９】
また、図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００３０】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００３１】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、ＰＤＳＣＨに対する変調方式および符号化率に関する情報（Modulation and Coding Scheme: MCS）、無線リソースの割り当てを示す情報などから構成される。上りリンクグラントは、ＰＵＳＣＨに対する変調方式および符号化率に関する情報、無線リソースの割り当てを示す情報などから構成される。
【００３２】
下りリンク制御情報には複数のフォーマットが用いられる。下りリンク制御情報のフォーマットをＤＣＩフォーマット（DCI format）と呼ぶ。例えば、上りリンクグラントのＤＣＩフォーマットは、移動局装置１がＰＵＳＣＨを１つの送信アンテナポートで送信する場合に用いられるＤＣＩフォーマット０、移動局装置１がＰＵＳＣＨにＭＩＭＯ  ＳＭ（Multiple Input Multiple Output Spatial Multiplexing）を用いて複数の上りリンクデータを送信する場合に用いられるＤＣＩフォーマット０Ａなどが用意される。移動局装置１は、ＰＤＣＣＨに対してＤＣＩフォーマット０とＤＣＩフォーマット０Ａを同時に監視し、ＤＣＩフォーマット０を検出した場合はＰＵＳＣＨを１つの送信アンテナポートを用いて送信し、ＤＣＩフォーマット０Ａを検出した場合はＰＵＳＣＨを複数の送信アンテナポート（ＭＩＭＯ  ＳＭ）を用いてＰＵＳＣＨを送信する。
【００３３】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。ＭＩＭＯ  ＳＭを用いた送信側では、複数の信号に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。
【００３４】
例えば、ＤＣＩフォーマット０Ａには、ＰＵＳＣＨの無線リソースの割り当てを示す情報（Resource block assignment）と、ＰＵＳＣＨの送信電力制御に用いられるＴＰＣ（Transmission Power Control）コマンドと、ＰＵＳＣＨと時間多重される上りリンク参照信号に用いられるサイクリックシフトを決定するために用いられる情報（Cyclic shift for demodulation reference signal）と、空間多重される系列の数と、この系列に対して行なうプリコーディングを指示する情報（precoding information）、変調方式と符号化方式とリダンダンシーバージョンに関する情報（Modulation and Coding Scheme and Redundancy version: MCS&RV）と、上りリンクデータの初期送信または再送信を示す情報（New Data Indicator: NDI）が含まれる。リダンダンシーバージョンは、移動局装置１が、上りリンクデータが符号化されたビット系列のうち、どの部分をＰＵＳＣＨで送信するかを示す情報である。
【００３５】
ＤＣＩフォーマット０Ａに含まれるＭＣＳ＆ＲＶとＮＤＩは、ＤＣＩフォーマット０Ａによって制御される複数の上りリンクデータ毎に用意される。つまり、基地局装置３は、ＤＣＩフォーマット０Ａを用いることで、同一のＰＵＳＣＨで送信される上りリンクデータ毎にトランスポートブロックサイズ、変調方式、符号化率を設定することができ、上りリンクデータ毎に初期送信か再送信かを移動局装置１に指示することができる。
【００３６】
移動局装置１は、ＮＤＩがトグル（toggle）されているか否かでＰＵＳＣＨの初期送信と再送信のどちらを指示されているかを識別する。移動局装置１は、下りリンクアサインメントまたは上りリンクグラントを受信した場合は、受信した下りリンクアサインメントまたは上りリンクグラントに含まれるＮＤＩを記憶する。このとき、移動局装置１が既にＮＤＩを記憶している場合は、ＮＤＩがトグルされているか判定してから、新しいＮＤＩに上書きする。ＮＤＩがトグルされているとは、既に記憶されているＮＤＩと受信されたＮＤＩの値が異なることであり、ＮＤＩがトグルされていないとは、既に記憶されているＮＤＩと受信されたＮＤＩの値が同じであることである。
【００３７】
移動局装置１は、ＮＤＩがトグルされている場合は、下りリンクアサインメントまたは上りリンクグラントが初期送信を示していると判定し、ＮＤＩがトグルされていない場合は、下りリンクアサインメントまたは上りリンクグラントが初期送信を示していると判定する。以下、ＮＤＩがトグルされていることを、下りリンク制御情報または下りリンクアサインメントまたは上りリンクグラントが初期送信を指示していると称する。以下、ＮＤＩがトグルされていないことを、下りリンク制御情報または下りリンクアサインメントまたは上りリンクグラントが再送信を指示していると称する。
【００３８】
下りリンク制御情報の符号化方法について説明する。まず基地局装置３は、下りリンク制御情報を基に生成した巡回冗長検査（Cyclic Redundancy Check: CRC）符号をＲＮＴＩ（Radio Network Temporary Identifier）でスクランブル（scramble）した系列を下りリンク制御情報に付加する。移動局装置１は、巡回冗長検査符号がいずれのＲＮＴＩでスクランブルされているかによって下りリンク制御情報の解釈を変更する。例えば、移動局装置１は、自装置が基地局装置３から割り当てられたＣ−ＲＮＴＩ（Cell-Radio Network Temporary Identity）で巡回冗長検査符号がスクランブルされていた場合、下りリンク制御情報が自装置宛の無線リソースを示していると判断する。以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴＩが含まれていると表現する。
【００３９】
移動局装置１は、ＰＤＣＣＨをデコード処理し、ＲＮＴＩでスクランブルされた巡回冗長検査符号に相当する系列を自装置が記憶するＲＮＴＩでデスクランブル（descramble）し、デスクランブルした巡回冗長検査符号に基づき誤りがないことを検出した場合にＰＤＣＣＨの取得に成功したと判断する。この処理をブラインドデコーディング（blind decoding）と呼ぶ。
【００４０】
ＰＤＳＣＨは、ページング情報（Paging Channel: PCH）やＰＢＣＨで報知されない、つまりＢＣＨ以外のシステム情報や下りリンクデータ（Downlink Shared Channel: DL-SCH）を送信するために用いられる物理チャネルである。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域を示す情報を送信するために用いられる物理チャネルである。ＰＨＩＣＨは、基地局装置３が受信した上りリンクデータの復号の成否を示すＨＡＲＱインディケータを送信するために用いられる物理チャネルである。
【００４１】
基地局装置３がＰＵＳＣＨに含まれる全ての上りリンクデータの復号に成功した場合は、ＨＡＲＱインディケータはＡＣＫ（ACKnowledgement）を示し、基地局装置３がＰＵＳＣＨに含まれる少なくとも１つの上りリンクデータの復号に失敗した場合は、ＨＡＲＱインディケータはＮＡＣＫ（Negative ACKnowledgement）を示す。尚、同一のＰＵＳＣＨに含まれる複数の上りリンクデータ毎の復号の成否を示す複数のＨＡＲＱインディケータが、複数のＰＨＩＣＨで送信されるような構成でもよい。
【００４２】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号は、符号多重が用いられ、複数の異なる符号が用いられる。例えば、複数の異なる符号は予め決められた基礎系列を周期的にシフト（サイクリックシフトと称す）することにより生成され、異なるシフト量のサイクリックシフトにより異なる符号が生成される。
【００４３】
ＰＵＣＣＨは、下りリンクのチャネル品質を示すチャネル品質情報（Channel Quality Information）、上りリンクの無線リソースの割り当ての要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００４４】
ＰＵＳＣＨは、上りリンクデータや上りリンク制御情報を送信するために用いられる物理チャネルである。ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００４５】
上りリンクデータ（ＵＬ−ＳＣＨ）および下りリンクデータ（ＤＬ−ＳＣＨ）などは、トランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。物理層ではトランスポートブロックはコードワードに対応付けられ、コードワード毎に符号化などの信号処理が行なわれる。トランスポートブロックサイズは、トランスポートブロックのビット数である。移動局装置１は上りリンクグラントや下りリンクアサインメントに含まれる無線リソース割り当てを示す情報によって示される物理リソースブロック（Physical Resource Block; PRB）の数とＭＣＳ（ＭＣＳ＆ＲＶ）からトランスポートブロックサイズを認識する。
【００４６】
図２は、本発明の下りリンクの無線フレームの構成の一例を示す概略図である。図２において、横軸は時間領域、縦軸は周波数領域である。図２に示すように、下りリンクの無線フレームは、複数の下りリンクの物理リソースブロック（Physical Resource Block; PRB）ペア（例えば、図２の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００４７】
１個の下りリンクの物理リソースブロックペアは、時間領域で連続する２個の下りリンクの物理リソースブロック（PRB帯域幅×スロット）から構成される。１個の下りリンクの物理リソースブロック（図２において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。
【００４８】
時間領域においては、７個のＯＦＤＭシンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、下りリンクの帯域幅に応じて複数の下りリンクの物理リソースブロックが配置される。尚、１個のサブキャリアと１個のＯＦＤＭシンボルから構成されるユニットを下りリンクリソースエレメントと称する。
【００４９】
以下、下りリンクに割り当てられる物理チャネルの配置について説明をする。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図２において、左斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数はＰＣＦＩＣＨで報知される。各サブフレームでは、複数のＰＤＣＣＨが周波数多重および時間多重される。
【００５０】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される（図２において、格子状の線でハッチングがされた領域）。ＰＨＩＣＨは、サブフレームの先頭のＯＦＤＭシンボルのみに配置されてもよいし、ＰＤＣＣＨが配置される複数のＯＦＤＭシンボルに分散して配置されてもよい。各サブフレームでは、複数のＰＨＩＣＨが周波数多重および符号多重される。
【００５１】
移動局装置１は、ＰＵＳＣＨを送信してから所定の時間後（例えば、４ms後、４サブフレーム後、４ＴＴＩ後）の下りリンクのサブフレームのＰＨＩＣＨで、このＰＵＳＣＨに対するＨＡＲＱフィードバックを受信する。ＰＵＳＣＨに対するＨＡＲＱインディケータが下りリンクのサブフレーム内のいずれのＰＨＩＣＨに配置されるかは、このＰＵＳＣＨに割り当てられた物理リソースブロックのうち、最も番号の小さい（最も低い周波数領域の）物理リソースブロックの番号および、上りリンクグラントに含まれる、ＰＵＳＣＨと時間多重される上りリンク参照信号に用いられるサイクリックシフトを決定するために用いられる情報から決定される。
【００５２】
ＰＤＳＣＨは、サブフレームのＰＤＣＣＨおよびＰＣＦＩＣＨおよびＰＨＩＣＨが配置されるＯＦＤＭシンボル以外のＯＦＤＭシンボル（図２において、ハッチングがされない領域）に配置される。ＰＤＳＣＨの無線リソースは、下りリンクアサインメントを用いて割り当てられる。ＰＤＳＣＨの無線リソースは、時間領域において、このＰＤＳＣＨの割り当てに用いられた下りリンクアサインメントを含むＰＤＣＣＨと同一の下りリンクのサブフレームに配置される。各サブフレームでは、複数のＰＤＳＣＨが周波数多重および空間多重される。下りリンク参照信号については、説明の簡略化のため図２において図示を省略するが、下りリンク参照信号は周波数領域と時間領域において分散して配置される。
【００５３】
図３は、本発明の上りリンクの無線フレームの構成の一例を示す概略図である。図４において、横軸は時間領域、縦軸は周波数領域である。図３に示すように、上りリンクの無線フレームは、複数の上りリンクの物理リソースブロックペア（例えば、図３の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００５４】
１個の上りリンクの物理リソースブロックペアは、時間領域で連続する２個の上りリンクの物理リソースブロック（PRB帯域幅×スロット）から構成される。１個の上りリンクの物理リソースブロック（図３において、太線で囲まれている単位）は、周波数領域において１２個のサブキャリア（１５kHz）から構成され、時間領域において７個のＳＣ−ＦＤＭＡシンボル（７１μs）から構成される。
【００５５】
時間領域においては、７個のＳＣ−ＦＤＭＡ（Single-Carrier Frequency Division Multiple Access）シンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、上りリンクの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【００５６】
以下、上りリンクの無線フレーム内に割り当てられる物理チャネルについて説明をする。上りリンクの各サブフレームには、ＰＵＣＣＨ、ＰＵＳＣＨ、および上りリンク参照信号などが配置される。ＰＵＣＣＨは、上りリンクの帯域の両端の上りリンクの物理リソースブロック（左斜線でハッチングがされた領域）に配置される。各サブフレームでは、複数のＰＵＣＣＨが周波数多重および符号多重される。
【００５７】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、４ms後、４サブフレーム後、４ＴＴＩ後）の上りリンクのサブフレームに配置される。各サブフレームでは、複数のＰＵＳＣＨが周波数多重および空間多重される。上りリンク参照信号は、ＰＵＣＣＨやＰＵＳＣＨと時間多重されるが、説明の簡略化のため詳細な説明は省略する。
【００５８】
図４は、本発明の上りリンクのＨＡＲＱプロセスを説明するための概略図である。図４において、横軸は時間領域であり、格子状の線でハッチングがされた四角はＰＨＩＣＨを示し、右斜線でハッチングがされた四角はＰＤＣＣＨ（上りリンクグラント）を示し、横線でハッチングがされた四角はＰＵＳＣＨを示し、ＰＨＩＣＨおよびＰＤＣＣＨおよびＰＵＳＣＨに付された番号は、各物理チャネルが対応するＨＡＲＱプロセスの番号を示している。本発明では、複数（８つ）のＨＡＲＱプロセスが独立して同時に動作する。
【００５９】
ＰＵＳＣＨが対応するＨＡＲＱプロセスの番号は上りリンクのサブフレームの番号と対応付けられる。例えば、サブフレームの番号を同時に動作するＨＡＲＱプロセスの数で割った余りの値を、そのサブフレームに対応するＨＡＲＱプロセスの番号とする。ＰＨＩＣＨおよびＰＤＣＣＨ（上りリンクグラント）が対応するＨＡＲＱプロセスの番号は下りリンクのサブフレームの番号と対応付けられる。上りリンクと下りリンクでは対応するＨＡＲＱプロセスの番号が４つシフトされている。また、同じＨＡＲＱプロセスに対するＰＨＩＣＨおよびＰＤＣＣＨ（上りリンクグラント）およびＰＵＳＣＨは８ms（８サブフレーム、８ＴＴＩ）間隔で送信される。
【００６０】
ＨＡＲＱプロセスそれぞれは、１つのＰＵＳＣＨで送信されることができる上りリンクデータ（トランスポートブロック）と同じ数のバッファ（以下、ＨＡＲＱバッファと称す。）に関連している。移動局装置１は、ＰＵＳＣＨで送信する上りリンクデータを、そのＰＵＳＣＨと対応するＨＡＲＱプロセスのＨＡＲＱバッファに保存し、対応するＰＤＣＣＨで最後に受信した上りリンクグラントを保存する。基地局装置３は、ＰＵＳＣＨで受信し、復号した上りリンクデータをそのＰＵＳＣＨと対応するＨＡＲＱプロセスのＨＡＲＱバッファに保存し、対応するＰＤＣＣＨで最後に送信した上りリンクグラントを保存する。
【００６１】
例えば、図４において、移動局装置１は、ｎ番目の下りリンクのサブフレームで０番のＨＡＲＱプロセスに関する初期送信を指示するＰＤＣＣＨ（上りリンクグラント）を受信し、ｎ＋４番目の上りリンクのサブフレームで、このＰＤＣＣＨ（上りリンクグラント）に従って０番のＨＡＲＱプロセスに関するＰＵＳＣＨの初期送信を行なう。移動局装置１は、ｎ＋８番目の下りリンクのサブフレームで０番のＨＡＲＱプロセスに関するＰＨＩＣＨとＰＤＣＣＨ（上りリンクグラント）を受信し、ｎ＋１２番目の上りリンクのサブフレームで、このＰＨＩＣＨ、またはＰＤＣＣＨ（上りリンクグラント）に従って０番のＨＡＲＱプロセスに関するＰＵＳＣＨの初期送信または再送信を行なう。
【００６２】
図５は、本発明のＨＡＲＱプロセスの動作を示すフローチャート図である。移動局装置１は、ＨＡＲＱプロセス毎に図５の処理を行なう。移動局装置１は、ＨＡＲＱプロセスの処理が開始されると、ＨＡＲＱプロセスに対応するＰＨＩＣＨを受信し、受信したＰＨＩＣＨに含まれるＨＡＲＱインディケータが示すＡＣＫまたはＮＡＣＫをＨＡＲＱフィードバックとしてセットする（ステップＳ１００）。次に移動局装置１は、自装置宛ての上りリンクグラントを検出したか否かを判定する（ステップＳ１０１）。移動局装置１は、上りリンクグラントを検出したと判定した場合は、検出した上りリンクグラントを記憶し、ＨＡＲＱフィードバックとしてＮＡＣＫをセットし（ステップＳ１０２）、記憶した上りリンクグラントに従ってＰＵＳＣＨで上りリンクデータの初期送信または再送信を行なう（ステップＳ１０４）。
【００６３】
移動局装置１は、検出した上りリンクグラントが上りリンクデータの初期送信を指示している場合は、ＨＡＲＱフィードバックとしてセットされているＡＣＫまたはＮＡＣＫに依存せず、ＰＵＳＣＨで送信する新しい上りリンクデータを決定し、この上りリンクデータをＨＡＲＱバッファに記憶し、記憶されている上りリンクグラントに従ってＰＵＳＣＨで上りリンクデータの初期送信を行なう。
【００６４】
移動局装置１は、検出した上りリンクグラントが上りリンクデータの再送信を指示している場合は、ＨＡＲＱフィードバックとしてセットされているＡＣＫまたはＮＡＣＫに依存せず、ＨＡＲＱバッファに記憶されている上りリンクデータを、記憶されている上りリンクグラントに従ってＰＵＳＣＨで再送信する。移動局装置１は、ＨＡＲＱバッファが空の場合は、検出した上りリンクグラントが初期送信を指示しているか再送信を指示しているかに依存せず、ＰＵＳＣＨで送信する上りリンクデータを決定し、この上りリンクデータをＨＡＲＱバッファに記憶し、記憶されている上りリンクグラントに従ってＰＵＳＣＨの初期送信を行なう。
【００６５】
移動局装置１は、ステップＳ１０１において上りリンクグラントを検出しなかったと判定した場合は、ＨＡＲＱフィードバックとしてＡＣＫとＮＡＣＫのどちらがセットされているかを判定する（ステップＳ１０３）。移動局装置１は、ステップＳ１０３においてＨＡＲＱフィードバックとしてＮＡＣＫがセットされており、ＨＡＲＱバッファが空でないと判定した場合は、記憶されている上りリンクグラントに従ってＨＡＲＱバッファに記憶されている上りリンクデータをＰＵＳＣＨで再送信する（ステップＳ１０４）。移動局装置１は、ステップＳ１０３においてＨＡＲＱフィードバックとしてＡＣＫがセットされている、またはＨＡＲＱバッファが空であると判定した場合は、ＰＵＳＣＨの送信を行なわず、ＨＡＲＱプロセスに対応するＨＡＲＱバッファの内容を保持する（ステップＳ１０５）。
【００６６】
移動局装置１は、ステップＳ１０４およびステップＳ１０５の後に、このＨＡＲＱプロセスに対応する次の下りリンクのサブフレームにおいてステップＳ１００に戻り（ステップＳ１０６）、ＨＡＲＱプロセスに対するＰＨＩＣＨを受信する。尚、ＨＡＲＱプロセスに関連するＨＡＲＱバッファが空の場合や、移動局装置１の電源を入れてからＨＡＲＱプロセスが一度も基地局装置３との通信に用いられていない場合や、ＨＡＲＱフィードバックとしてＡＣＫがセットされている場合などは、ステップＳ１００において移動局装置１は、このＨＡＲＱプロセスに対応するＰＨＩＣＨを受信しなくてもよい。尚、ステップＳ１０５でＨＡＲＱバッファの内容を保持した後に、再送信を指示する上りリンクグラントを受信した場合は、そのＨＡＲＱバッファの内容をＰＵＳＣＨで再送信することができる。
【００６７】
移動局装置１が上りリンクデータの再送信を指示する上りリンクグラントを検出し、検出した上りリンクグラントに従って上りリンクデータを再送信することをａｄａｐｔｉｖｅ  ＨＡＲＱと称し、移動局装置１が上りリンクグラントを検出せず、ＨＡＲＱフィードバックにＮＡＣＫがセットされており、既に記憶されている上りリンクグラントに従って上りリンクデータを再送信することをｎｏｎ−ａｄａｐｔｉｖｅ  ＨＡＲＱと称する。
【００６８】
本発明の移動局装置１は、同一のＰＵＳＣＨで送信される上りリンクデータ（トランスポートブロック）毎に、上りリンクデータを再送信した回数をカウントし、いずれかの上りリンクデータの再送信の回数が所定の値に達したら、このＨＡＲＱプロセスに関するＨＡＲＱバッファに記憶されている上りリンクデータ全てを消去する。
【００６９】
図６は、本発明の移動局装置１の動作の一例を示すフローチャート図である。移動局装置１は、図５のフローチャート図に従ってＰＵＳＣＨの初期送信または再送信をする毎に図６のフローチャートに従ってＨＡＲＱバッファの内容の消去または保持に関する処理を行なう。移動局装置１は、同一のＰＵＳＣＨで送信する上りリンクデータ（トランスポートブロック）毎に以下の処理を行なう。移動局装置１は、同一のＰＵＳＣＨで送信される１番目の上りリンクデータが初期送信されるか再送信されるかを判定する（ステップＳ２０１）。移動局装置１はステップＳ２０１において、上りリンクデータが初期送信されると判定した場合は、CURRENT_TX_NB[TB]を‘０’にセットする（ステップＳ２０２）。
【００７０】
移動局装置１はステップＳ２０１において、上りリンクデータが再送信されると判定した場合は、CURRENT_TX_NB[TB]を‘１’インクリメントする（ステップＳ２０３）。CURRENT_TX_NB[TB]は、上りリンクデータの送信回数を記憶するカウンターであり、ＴＢは同一のＰＵＳＣＨで送信される上りリンクデータ（トランスポートブロック）の番号を示す。つまり、移動局装置１は同一のＰＵＳＣＨで送信される上りリンクデータ毎に送信回数をカウントするカウンターを有する。
【００７１】
ステップＳ２０２またはステップＳ２０３の後、移動局装置１は同一のＰＵＳＣＨで送信される全ての上りリンクデータ（トランスポートブロック）に対してステップＳ２０１からの処理を行なったか否かを判定する（ステップＳ２０４）。移動局装置１はステップＳ２０４において、同一のＰＵＳＣＨで送信される全ての上りリンクデータ（トランスポートブロック）に対してステップＳ２０１からの処理を行なっていないと判定した場合は、同一のＰＵＳＣＨで送信される次の上りリンクデータ（ステップＳ２０５）に対してステップＳ２０１からの処理を行なう。
【００７２】
移動局装置１はステップＳ２０４において、同一のＰＵＳＣＨで送信される全ての上りリンクデータ（トランスポートブロック）に対してステップＳ２０１からの処理を行なったと判定した場合は、移動局装置１は、いずれかの上りリンクデータに対するCURRENT_TX_NB[TB]が‘Nmax−１’と等しいか否かを判定する（ステップＳ２０６）。Nmaxは、上りリンクデータの最大送信回数を示すパラメータであり、Nmaxは予め定義されてもよいし、基地局装置３が移動局装置１毎にNmaxを設定し、ＲＲＣシグナル（Radio Resource Control signal）を用いて通知してもよい。
【００７３】
移動局装置１はステップＳ２０６において、上りリンクデータに対するCURRENT_TX_NB[TB]のうちいずれかが‘Nmax−１’と等しいと判定した場合は、このＨＡＲＱプロセスに関するＨＡＲＱバッファに記憶されている全ての上りリンクデータ（トランスポートブロック）を消去する（ステップＳ２０７）。移動局装置１はステップＳ２０６において、上りリンクデータに対するCURRENT_TX_NB[TB]全て‘Nmax−１’と等しくないと判定した場合は、このＨＡＲＱプロセスに関するＨＡＲＱバッファに記憶されている全ての上りリンクデータを消去せず、保持する（ステップＳ２０８）。移動局装置１は、ステップＳ２０７またはステップＳ２０８の後に、ＨＡＲＱバッファの内容の消去または保持に関する処理を終了する。
【００７４】
図７は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。また、上位層処理部１０１は、無線リソース制御部１０１１、ＨＡＲＱ制御部１０１３とＨＡＲＱ記憶部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００７５】
上位層処理部１０１は、ユーザの操作等により生成された上りリンクデータを、送信部２０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。上位層処理部１０１が備える無線リソース制御部１０１１は、自装置の各種設定情報の管理を行なう。例えば、無線リソース制御部１０１１は、Ｃ−ＲＮＴＩなどのＲＮＴＩの管理を行なう。また、無線リソース制御部１０１１は、上りリンクの各チャネルに配置される情報を生成し、送信部１０７に出力する。
【００７６】
上位層処理部１０１が備えるＨＡＲＱ制御部１０１３は、上りリンクのＨＡＲＱプロセスの管理を行なう。上位層処理部１０１が備えるＨＡＲＱ記憶部１０１５は、ＨＡＲＱ制御部１０１３が管理する上りリンクのＨＡＲＱプロセスそれぞれに関連するＨＡＲＱバッファを有する。ＨＡＲＱ記憶部１０１５は、ＨＡＲＱプロセスそれぞれに関連する上りリンクグラントやＨＡＲＱフィードバック（ＡＣＫまたはＮＡＣＫ）や上りリンクデータの送信回数を記憶する。尚、下りリンクのＨＡＲＱプロセスは、本発明と関連がないため説明を省略する。
【００７７】
ＨＡＲＱ制御部１０１３は、ＨＡＲＱプロセス毎に以下の動作をする。ＨＡＲＱ制御部１０１３は、ＰＵＳＣＨで送信される上りリンクデータ（トランスポートブロック）をＨＡＲＱバッファに入力し、受信部１０５から入力されるＰＨＩＣＨで受信されたＨＡＲＱインディケータが示すＡＣＫまたはＮＡＣＫと、ＰＤＣＣＨで受信された上りリンクグラントをＨＡＲＱ記憶部１０１５に記憶させる。ＨＡＲＱ制御部１０１３は、ＨＡＲＱ記憶部１０１５に記憶させたＡＣＫまたはＮＡＣＫ、および上りリンクグラントに基づき、図５のフローチャート図および図６のフローチャート図に従ってＨＡＲＱの制御を行なう。
【００７８】
ＨＡＲＱ制御部１０１３は、ＨＡＲＱ記憶部１０１５が有する同一のＰＵＳＣＨで送信される上りリンクデータ毎のカウンターに各上りリンクデータの送信回数を記憶させる。ＨＡＲＱ制御部１０１３は、ＨＡＲＱ記憶部１０１５に記憶させたＡＣＫまたはＮＡＣＫ、および上りリンクグラントに基づき、ＨＡＲＱ記憶部１０１５のカウンターに記憶された上りリンクデータの送信回数を‘０’にリセットするか、‘１’インクリメントするかを制御する。ＨＡＲＱ制御部１０１３は、ＨＡＲＱ記憶部１０１５のいずれかの上りリンクデータに対応するカウンターが所定の回数（予め決められた最大送信回数）に達した場合、ＨＡＲＱ記憶部１０１５の同一のＰＵＳＣＨで送信される全ての上りリンクデータに対応する全てのＨＡＲＱバッファに記憶されている全ての上りリンクデータ（トランスポートブロック）を消去する。
【００７９】
ＨＡＲＱ制御部１０１３は、ＰＵＳＣＨが送信される上りリンクのサブフレームの番号（タイミング）と、ＨＡＲＱプロセスを対応付ける。ＨＡＲＱ制御部１０１３は、下りリンクのサブフレーム内の複数のＰＨＩＣＨのうち、ＰＵＳＣＨの物理リソースブロックの割り当てと、ＰＵＳＣＨと時間多重される上りリンク参照信号のサイクリックシフトに関する上りリンクグラントに含まれる情報から、このＨＡＲＱプロセスに対応するＰＨＩＣＨを決定する。ＨＡＲＱ制御部１０１３は、上りリンクグラントが検出された下りリンクのサブフレームの番号（タイミング）から、検出された上りリンクグラントが対応するＨＡＲＱプロセスを決定する。
【００８０】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。受信部１０５は、制御部１０３から入力された制御信号に従って、送受信アンテナ１０９を介して基地局装置３から受信した受信信号を、分離、復調、復号し、復号した情報を上位層処理部１０１に出力する。
【００８１】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００８２】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行われる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【００８３】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【００８４】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００８５】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【００８６】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。符号化部１０７１は、上位層処理部１０１から入力された上りリンク制御情報を畳込み符号化、ブロック符号化等の符号化を行い、上りリンクデータを上りリンクグラントで通知された符号化率に関する情報に基づいてターボ符号化を行なう。
【００８７】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、上りリンクグラントで通知された空間多重される系列の数と、この系列に対して行なうプリコーディングを指示する情報に基づいて、ＭＩＭＯ  ＳＭを用いることにより同一のＰＵＳＣＨで送信される複数の上りリンクデータの変調シンボルの系列を、同一のＰＵＳＣＨで送信される上りリンクデータの数よりも多い複数の系列にマッピングし、この系列に対してプレコーディング（precoding）を行なう。
【００８８】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフトなどを基に予め定められた規則で求まる、基地局装置３が既知の系列を生成する。多重部１０７５は、制御部１０３から入力された制御信号に従って、ＰＵＳＣＨの変調シンボルを並列に並び替えてから離散フーリエ変換（Discrete Fourier Transform: DFT）し、ＰＵＣＣＨとＰＵＳＣＨの信号と生成した上りリンク参照信号を送信アンテナポート毎に多重する。
【００８９】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００９０】
図８は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、ＨＡＲＱ制御部３０１３とＨＡＲＱ記憶部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００９１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、移動局装置１にＣ−ＲＮＴＩを割り当てるなどＲＮＴＩの管理を行なう。
【００９２】
上位層処理部３０１が備えるＨＡＲＱ制御部３０１３は、移動局装置１それぞれの上りリンクのＨＡＲＱプロセスの管理を行なう。上位層処理部３０１が備えるＨＡＲＱ記憶部３０１５は、ＨＡＲＱ制御部３０１３が管理する上りリンクのＨＡＲＱプロセスそれぞれに対応する複数のＨＡＲＱバッファを有する。尚、下りリンクのＨＡＲＱプロセスは、本発明と関連がないため説明を省略する。ＨＡＲＱ制御部３０１３、受信処理部３０５から入力されたＰＵＳＣＨで受信された上りリンクデータ（トランスポートブロック）をＨＡＲＱバッファに入力し、上りリンクデータに付加された誤り検出符号（巡回冗長検査符号）を用いて上りリンクデータの復号に成功したか否かを判定する。
【００９３】
ＨＡＲＱ制御部３０１３は、上りリンクデータの復号に成功したと判定した場合は、ＡＣＫを示すＨＡＲＱインディケータを生成し、上りリンクデータの復号に失敗したと判定した場合は、ＮＡＣＫを示すＨＡＲＱインディケータを生成し、送信部３０７に出力する。ＨＡＲＱ制御部３０１３は、上りリンクデータの復号に失敗したと判定した場合は、無線リソース割当や変調方式および符号化率に関する情報を変更し、変更した情報を含む再送信を指示する上りリンクグラントを送信するよう、制御部３０３を介して、送信部３０７を制御してもよい。
【００９４】
ＨＡＲＱ制御部３０１３は、移動局装置１において再送信された上りリンクデータが受信部３０５から入力された場合は、既にＨＡＲＱバッファに保存している上りリンクデータと再送信された上りリンクデータを合成し、上りリンクデータの復号に成功したか否かを判定する。ＨＡＲＱ制御部３０１３は、移動局装置１がＰＵＳＣＨを送信する上りリンクのサブフレームの番号（タイミング）と、ＨＡＲＱプロセスの番号を対応付ける。
【００９５】
ＨＡＲＱ制御部３０１３は、あるＨＡＲＱプロセスに対して複数のＰＨＩＣＨのうち、ＰＵＳＣＨの物理リソースブロックの割り当てと、ＰＵＳＣＨと時間多重される上りリンク参照信号のサイクリックシフトに関する上りリンクグラントに含まれる情報から、このＨＡＲＱプロセスに対応するＡＣＫ／ＮＡＣＫを送信するために用いられるＰＨＩＣＨを決定する。
【００９６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００９７】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【００９８】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００９９】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１００】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１０１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１０２】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。
【０１０３】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１０４】
このように、本発明によれば、同一のＰＵＳＣＨを用いて複数の上りリンクデータ（トランスポートブロック）を基地局装置３に送信する移動局装置１において、移動局装置１は、同一のＰＵＳＣＨで送信される上りリンクデータ毎に、上りリンクデータを再送信した回数をカウントし、いずれかの上りリンクデータの再送信の回数が所定の値に達したら、このＨＡＲＱプロセスに関するＨＡＲＱバッファに記憶されている上りリンクデータ全てを消去する。
【０１０５】
これにより、基地局装置３は、移動局装置１がどのような場合にＨＡＲＱバッファから上りリンクデータを消去するかを認識できるため、基地局装置３がＰＵＳＣＨの再送信を効率的に行なうことができる。また、移動局装置１が他の移動局装置１に対する上りリンクグラントを誤検出することで、基地局装置３の制御を離れてＰＵＳＣＨを誤って送信した場合に、基地局装置はこの誤って送信されたＰＵＳＣＨを検出できず、このＰＵＳＣＨに対してＡＣＫのＨＡＲＱインディケータを送信すること、およびこのＰＵＳＣＨを送信している移動局装置１に対して正しい上りリンクグラントを送信することができないため、移動局装置１はｎｏｎ−ａｄａｐｔｉｖｅ  ＨＡＲＱによるＰＵＳＣＨの再送信をし続けるが、本発明を適用することにより、上りリンクデータの送信回数が最大送信回数に達すると、ＨＡＲＱバッファに記憶されている上りリンクデータを消去し、ＰＵＳＣＨの再送信を止めるため、移動局装置１のＰＵＳＣＨの誤送信を止めることができる。
【０１０６】
移動局装置１がＰＵＳＣＨを誤って送信している場合は、他の移動局装置１から送信されるＰＵＳＣＨへの干渉になる可能性があるため、早急に誤って送信しているＰＵＳＣＨの再送信をとめる必要がある。本発明の第１の実施形態によると、移動局装置１は、いずれかの上りリンクデータの再送信の回数が所定の値に達したら、このＨＡＲＱプロセスに関するＨＡＲＱバッファに記憶されている上りリンクデータ全てを消去し、ＰＵＳＣＨの送信をとめるため、ＰＵＳＣＨの誤送信を早くとめることができる。
【０１０７】
（第２の実施形態）
以下、図面を参照しながら本発明の第２の実施形態について詳しく説明する。
【０１０８】
本発明の第２の実施形態では、移動局装置１は、同一のＰＵＳＣＨで送信される上りリンクデータ毎に、上りリンクデータを再送信した回数をカウントし、ある上りリンクデータの再送信の回数が所定の値に達したら、ＨＡＲＱバッファに記憶されている再送信の回数が所定の値に達した上りリンクデータのみを消去する。
【０１０９】
図９は、本発明の第２の実施形態の移動局装置１の動作の一例を示すフローチャート図である。第１の実施形態に係る図６のフローチャート図と第２の実施形態に係る図９のフローチャート図とを比較すると、ステップＳ２０６からステップＳ２０８とステップＳ３０６からステップＳ３０８が異なる。しかし、他のステップが持つ構成および機能は、図６のフローチャート図と同じであるので、図６のフローチャート図と同じステップについての説明は省略する。
【０１１０】
移動局装置１はステップＳ３０６において、いずれかのCURRENT_TX_NB[TB]が‘Nmax−１’と等しいと判定した場合は、ＨＡＲＱバッファに記憶されている、CURRENT_TX_NB[TB]が‘Nmax−１’に達した上りリンクデータ（トランスポートブロック）をＨＡＲＱバッファから消去し、CURRENT_TX_NB[TB]が‘Nmax−１’に達していない上りリンクデータ（トランスポートブロック）をＨＡＲＱバッファから消去せず、保持する（ステップＳ３０７）。移動局装置１はステップＳ３０６において、全てのCURRENT_TX_NB[TB]が‘Nmax−１’と等しくない（‘Nmax−１’に達していない）と判定した場合は、このＨＡＲＱプロセスに関するＨＡＲＱバッファに記憶されている全ての上りリンクデータを消去せず、保持する（ステップＳ３０８）。  
【０１１１】
第２の実施形態に係る無線通信システムと第１の実施形態に係る無線通信システムとを比較すると、移動局装置１の上位層処理部１０１が異なる。しかし、他の構成要素が持つ構成および機能は、第１の実施形態と同じであるので、第１の実施形態と同じ機能についての説明は省略する。第２の実施形態の移動局装置１の上位層処理部１０１のＨＡＲＱ制御部１０１３は、図６のフローチャート図の代わりに図９のフローチャート図に従ってＨＡＲＱの制御を行なう。
【０１１２】
第２の実施形態のＨＡＲＱ制御部１０１３は、ＨＡＲＱ記憶部１０１５が有する同一のＰＵＳＣＨで送信される上りリンクデータ毎のカウンターに各上りリンクデータの送信回数を記憶させる。ＨＡＲＱ制御部１０１３は、ＨＡＲＱ記憶部１０１５に記憶させたＡＣＫまたはＮＡＣＫ、および上りリンクグラントに基づき、ＨＡＲＱ記憶部１０１５のカウンターに記憶された上りリンクデータの送信回数を‘０’にリセットするか、‘１’インクリメントするかを制御する。ＨＡＲＱ制御部１０１３は、ＨＡＲＱ記憶部１０１５のいずれかの上りリンクデータに対応するカウンターが所定の回数（予め決められた最大送信回数）に達した場合、ＨＡＲＱ記憶部１０１５のカウンターが所定の回数に達した上りリンクデータをＨＡＲＱバッファから消去する。
【０１１３】
尚、同一のＰＵＳＣＨで送信される複数の上りリンクデータのうち、一部の上りリンクデータのみＨＡＲＱバッファから消去され、ｎｏｎ−ａｄａｐｔｉｖｅ  ＨＡＲＱによりＭＩＭＯ  ＳＭを用いてＰＵＳＣＨで複数の上りリンクデータの送信を行おうとする場合は、移動局装置１はＰＵＳＣＨでＨＡＲＱバッファから消去された上りリンクデータの変わりにダミービットを物理層に出力してもよいし、物理層に上りリンクデータとして何も出力しなくてもよい。ダミービットはパディングを示すＭＡＣサブヘッダーとパディングビットから構成されてもよいし、何の意味も持たないビット系列でもよい。これにより、ＭＩＭＯ  ＳＭを用いた通信を継続することができる。
【０１１４】
これにより、基地局装置３は、移動局装置１がどのような場合にＨＡＲＱバッファから上りリンクデータを消去するかを認識できるため、基地局装置３がＰＵＳＣＨの再送信を効率的に行なうことができる。
【０１１５】
また、移動局装置１が他の移動局装置１に対する上りリンクグラントを誤検出することで、基地局装置３の制御を離れてＰＵＳＣＨを誤って送信した場合に、基地局装置はこの誤って送信されたＰＵＳＣＨを検出できず、このＰＵＳＣＨに対してＡＣＫのＨＡＲＱインディケータを送信すること、およびこのＰＵＳＣＨを送信している移動局装置１に対して正しい上りリンクグラントを送信することができないため、移動局装置１はｎｏｎ-ａｄａｐｔｉｖｅ  ＨＡＲＱによるＰＵＳＣＨの再送信をし続けるが、本発明を適用することにより、上りリンクデータの送信回数が最大送信回数に達すると、ＨＡＲＱバッファに記憶されている上りリンクデータを消去し、ＰＵＳＣＨの再送信を止めるため、移動局装置１のＰＵＳＣＨの誤送信を止めることができる。
【０１１６】
第１の実施形態では、移動局装置１は、同一のＰＵＳＣＨで送信される上りリンクデータ毎に、上りリンクデータを再送信した回数をカウントし、いずれかの上りリンクデータの再送信の回数が所定の値に達したら、このＨＡＲＱプロセスに関するＨＡＲＱバッファに記憶されている上りリンクデータ全てをＨＡＲＱバッファから消去するため、再送信の回数が所定の値に達した上りリンクデータがあると、初期送信をしたばかりの上りリンクデータも一緒にＨＡＲＱバッファから消去されてしまう。初期送信をしたばかりの上りリンクデータは、移動局装置１が上りリンクグラントで送信を指示したばかりの上りリンクデータであり、ＨＡＲＱバッファから消去しないほうが好ましい。
【０１１７】
第２の実施形態では、移動局装置１は、同一のＰＵＳＣＨで送信される上りリンクデータ毎に、上りリンクデータを再送信した回数をカウントし、ある上りリンクデータの再送信の回数が所定の値に達したら、ＨＡＲＱバッファに記憶されている再送信の回数が所定の値に達した上りリンクデータのみを消去するため、再送信の回数が所定の値に達した上りリンクデータはＨＡＲＱバッファから消去されるが、初期送信をしたばかりの上りリンクデータは一緒に消去されない。このように、第２の実施形態では、同一のＰＵＳＣＨで送信される上りリンクデータ毎に独立した再送制御を実現することができる。
【０１１８】
（第３の実施形態）
以下、図面を参照しながら本発明の第３の実施形態について詳しく説明する。
【０１１９】
本発明の第３の実施形態では、移動局装置１は、同一のＰＵＳＣＨで送信される上りリンクデータ毎に、上りリンクデータを再送信した回数をカウントし、上りリンクデータ全ての再送信の回数が所定の値に達したら、このＨＡＲＱプロセスに関するＨＡＲＱバッファに記憶されている上りリンクデータ全てを消去する。つまり、同一のＰＵＳＣＨで送信される上りリンクデータ毎に、上りリンクデータを再送信した回数をカウントし、一部の上りリンクデータの再送信の回数が所定の値に達しても、このＨＡＲＱプロセスに関するＨＡＲＱバッファに記憶されている上りリンクデータ全てを消去しない。
【０１２０】
図１０は、本発明の第３の実施形態の移動局装置１の動作の一例を示すフローチャート図である。第３の実施形態に係る図１０のフローチャート図と第１の実施形態に係る図６のフローチャート図とを比較すると、ステップＳ２０６とステップＳ４０６が異なる。しかし、他のステップが持つ構成および機能は、図６のフローチャート図と同じであるので、図６のフローチャート図と同じステップについての説明は省略する。
【０１２１】
移動局装置１はステップＳ４０６において、全てのCURRENT_TX_NB[TB]が‘Nmax-1’より大きいか等しいか否かを判定する。移動局装置１は全てのCURRENT_TX_NB[TB]が‘Nmax-1’より大きいか、等しいと判定した場合は、このＨＡＲＱプロセスに関するＨＡＲＱバッファに記憶されている全ての上りリンクデータ（トランスポートブロック）を消去する（ステップＳ４０７）。移動局装置１は、いずれかのCURRENT_TX_NB[TB]が‘Nmax-1’より小さいと判定した場合は、このＨＡＲＱプロセスに関するＨＡＲＱバッファに記憶されている全ての上りリンクデータ（トランスポートブロック）を消去せず、保持する（ステップＳ４０８）。
【０１２２】
第３の実施形態に係る無線通信システムと第１の実施形態に係る無線通信システムとを比較すると、移動局装置１の上位層処理部１０１が異なる。しかし、他の構成要素が持つ構成および機能は、第１の実施形態と同じであるので、第１の実施形態と同じ機能についての説明は省略する。第３の実施形態の移動局装置１の上位層処理部１０１のＨＡＲＱ制御部１０１３は、図６のフローチャート図の代わりに図１０のフローチャート図に従ってＨＡＲＱの制御を行なう。
【０１２３】
第３の実施形態のＨＡＲＱ制御部１０１３は、ＨＡＲＱ記憶部１０１５が有する同一のＰＵＳＣＨで送信される上りリンクデータ毎のカウンターに各上りリンクデータの送信回数を記憶させる。ＨＡＲＱ制御部１０１３は、ＨＡＲＱ記憶部１０１５に記憶させたＡＣＫまたはＮＡＣＫ、および上りリンクグラントに基づき、ＨＡＲＱ記憶部１０１５のカウンターに記憶された上りリンクデータの送信回数を‘０’にリセットするか、‘１’インクリメントするかを制御する。ＨＡＲＱ制御部１０１３は、ＨＡＲＱ記憶部１０１５の上りリンクデータに対応するカウンター全てが所定の回数（予め決められた最大送信回数）に達した場合、ＨＡＲＱ記憶部１０１５の同一のＰＵＳＣＨで送信される全ての上りリンクデータに対応する全てのＨＡＲＱバッファに記憶されている全ての上りリンクデータ（トランスポートブロック）を消去する。
【０１２４】
これにより、基地局装置３は、移動局装置１がどのような場合にＨＡＲＱバッファから上りリンクデータを消去するかを認識できるため、基地局装置３がＰＵＳＣＨの再送信を効率的に行なうことができる。また、移動局装置１が他の移動局装置１に対する上りリンクグラントを誤検出することで、基地局装置３の制御を離れてＰＵＳＣＨを誤って送信した場合に、基地局装置はこの誤って送信されたＰＵＳＣＨを検出できず、このＰＵＳＣＨに対してＡＣＫのＨＡＲＱインディケータを送信すること、およびこのＰＵＳＣＨを送信している移動局装置１に対して正しい上りリンクグラントを送信することができないため、移動局装置１はｎｏｎ−ａｄａｐｔｉｖｅ  ＨＡＲＱによるＰＵＳＣＨの再送信をし続けるが、本発明を適用することにより、上りリンクデータの送信回数が最大送信回数に達すると、ＨＡＲＱバッファに記憶されている上りリンクデータを消去し、ＰＵＳＣＨの再送信を止めるため、移動局装置１のＰＵＳＣＨの誤送信を止めることができる。
【０１２５】
第１の実施形態では、移動局装置１は、同一のＰＵＳＣＨで送信される上りリンクデータ毎に、上りリンクデータを再送信した回数をカウントし、いずれかの上りリンクデータの再送信の回数が所定の値に達したら、このＨＡＲＱプロセスに関するＨＡＲＱバッファに記憶されている上りリンクデータ全てをＨＡＲＱバッファから消去するため、再送信の回数が所定の値に達した上りリンクデータがあると、初期送信をしたばかりの上りリンクデータも一緒にＨＡＲＱバッファから消去されてしまう。初期送信をしたばかりの上りリンクデータは、移動局装置１が上りリンクグラントで送信を指示したばかりの上りリンクデータであり、ＨＡＲＱバッファから消去しないほうが好ましい。第３の実施形態では、同一のＰＵＳＣＨで送信される複数の上りリンクデータのうち、一部の上りリンクデータの再送信の回数が所定の値に達しても、ＨＡＲＱバッファに記憶されている上りリンクデータ全てを消去しないため、初期送信をしたばかりの上りリンクデータは消去されない。
【０１２６】
第３の実施形態と第２の実施形態を比べると、同一のＰＵＳＣＨで送信される複数の上りリンクデータのうち、再送信の回数が所定の値に達した一部の上りリンクデータをＨＡＲＱバッファから消去するか否かが異なる。第２の実施形態ではＨＡＲＱバッファから消去された上りリンクデータの変わりにダミービットを送信したが、ダミービットを送信しても上りリンクデータを送信しても、誤ってＰＵＳＣＨを送信している場合には他の移動局装置１のＰＵＳＣＨに干渉を与えることに変わりはない。そのため、第３の実施形態では、同一のＰＵＳＣＨで送信される複数の上りリンクデータのうち、再送信の回数が所定の値に達していない上りリンクデータがある場合は、全ての上りリンクデータをＨＡＲＱバッファから消去せず再送信する。これにより、ＭＩＭＯ  ＳＭを用いた通信を継続しつつ、上りリンクデータが受信側で正しく復号される可能性を向上することができる。
【０１２７】
（第４の実施形態）
以下、図面を参照しながら本発明の第４の実施形態について詳しく説明する。
【０１２８】
本発明の第４の実施形態では、移動局装置１は、同一のＰＵＳＣＨで送信される複数の上りリンクデータ（トランスポートブロック）で共通のカウンター（CURRENT_TX_NB）を有し、このカウンターが所定の値に達したら、このＨＡＲＱプロセスに関連するＨＡＲＱバッファに記憶されている上りリンクデータ全てを消去する。移動局装置１は、同一のＰＵＳＣＨで送信する複数の上りリンクデータのいずれかが初期送信の場合は前記カウンターを‘０’にセットし、同一の上りリンク共用チャネルで送信する上りリンクデータ全てが再送信の場合にカウンターを‘１’インクリメントする。
【０１２９】
図１１は、本発明の第４の実施形態の移動局装置１の動作の一例を示すフローチャート図である。まず移動局装置１は、同一のＰＵＳＣＨで送信する複数の上りリンクデータ（トランスポートブロック）全てが再送信か否かを判定する（ステップＳ５００）。移動局装置１は全ての上りリンクデータが再送信ではない、つまり、少なくとも１つの上りリンクデータの初期送信があると判定した場合は、カウンター（CURRENT_TX_NB）を‘０’にセットする（ステップＳ５０１）。移動局装置１は、移動局装置１は全ての上りリンクデータが再送信されると判定した場合は、カウンター（CURRENT_TX_NB）を‘１’インクリメントする（ステップＳ５０２）。
【０１３０】
ステップＳ５０１またはステップＳ５０２の後、移動局装置１はCURRENT_TX_NBが‘Nmax-1’と等しいか否かを判定する（ステップＳ５０３）。移動局装置１はCURRENT_TX_NBが‘Nmax-1’と等しいと判定した場合、このＨＡＲＱプロセスに関するＨＡＲＱバッファに記憶されている全ての上りリンクデータ（トランスポートブロック）を消去する（ステップＳ５０４）。移動局装置１はCURRENT_TX_NBが‘Nmax-1’と等しくないと判定した場合、このＨＡＲＱプロセスに関するＨＡＲＱバッファに記憶されている全ての上りリンクデータを消去せず、保持する（ステップＳ５０５）。移動局装置１は、ステップＳ５０４またはステップＳ５０５の後に、ＨＡＲＱバッファの内容の消去または保持に関する処理を終了する。
【０１３１】
第４の実施形態に係る無線通信システムと第１の実施形態に係る無線通信システムとを比較すると、移動局装置１の上位層処理部１０１が異なる。しかし、他の構成要素が持つ構成および機能は、第１の実施形態と同じであるので、第１の実施形態と同じ機能についての説明は省略する。第４の実施形態の移動局装置１の上位層処理部１０１のＨＡＲＱ制御部１０１３は、図６のフローチャート図の代わりに図１１のフローチャート図に従ってＨＡＲＱの制御を行なう。
【０１３２】
第４の実施形態のＨＡＲＱ制御部１０１３は、ＨＡＲＱ記憶部１０１５が有する同一のＰＵＳＣＨで送信される上りリンクデータ共通のカウンターを記憶させる。ＨＡＲＱ制御部１０１３は、ＨＡＲＱ記憶部１０１５に記憶させたＡＣＫまたはＮＡＣＫ、および上りリンクグラントに基づき、ＨＡＲＱ記憶部１０１５のカウンターに記憶された値を‘０’にリセットするか、‘１’インクリメントするかを制御する。ＨＡＲＱ制御部１０１３は、ＨＡＲＱ記憶部１０１５のカウンターが所定の回数（予め決められた最大送信回数）に達した場合、ＨＡＲＱ記憶部１０１５の同一のＰＵＳＣＨで送信される全ての上りリンクデータに対応する全てのＨＡＲＱバッファに記憶されている全ての上りリンクデータ（トランスポートブロック）を消去する。
【０１３３】
これにより、基地局装置３は、移動局装置１がどのような場合にＨＡＲＱバッファから上りリンクデータを消去するかを認識できるため、基地局装置３がＰＵＳＣＨの再送信を効率的に行なうことができる。図６のフローチャート図と比べて、図１１のフローチャート図では同一のＰＵＳＣＨで送信される上りリンクデータ毎のカウンターを持つ必要がなく、移動局装置１の構成を簡略化することができる。
【０１３４】
これにより、基地局装置３は、移動局装置１がどのような場合にＨＡＲＱバッファから上りリンクデータを消去するかを認識できるため、基地局装置３がＰＵＳＣＨの再送信を効率的に行なうことができる。また、移動局装置１が他の移動局装置１に対する上りリンクグラントを誤検出することで、基地局装置３の制御を離れてＰＵＳＣＨを誤って送信した場合に、基地局装置はこの誤って送信されたＰＵＳＣＨを検出できず、このＰＵＳＣＨに対してＡＣＫのＨＡＲＱインディケータを送信すること、およびこのＰＵＳＣＨを送信している移動局装置１に対して正しい上りリンクグラントを送信することができないため、移動局装置１はｎｏｎ−ａｄａｐｔｉｖｅ  ＨＡＲＱによるＰＵＳＣＨの再送信をし続けるが、本発明を適用することにより、上りリンクデータの送信回数が最大送信回数に達すると、ＨＡＲＱバッファに記憶されている上りリンクデータを消去し、ＰＵＳＣＨの再送信を止めるため、移動局装置１のＰＵＳＣＨの誤送信を止めることができる。
【０１３５】
（第５の実施形態）
以下、図面を参照しながら本発明の第５の実施形態について詳しく説明する。
【０１３６】
本発明の第５の実施形態では、移動局装置１は上りリンクデータ（トランスポートブロック）のｎｏｎ−ａｄａｐｔｉｖｅ  ＨＡＲＱによる再送信の回数が所定の回数に達したら、このＨＡＲＱプロセスに関するＨＡＲＱバッファに記憶されている上りリンクデータ全てを消去する。具体的には移動局装置１は、同一のＰＵＳＣＨで送信される複数の上りリンクデータ（トランスポートブロック）で共通のカウンター（CURRENT_TX_NB）を有し、このカウンターが所定の値に達したら、このＨＡＲＱプロセスに関連するＨＡＲＱバッファに記憶されている上りリンクデータ全てを消去する。移動局装置１は、同一のＰＵＳＣＨで送信する複数の上りリンクデータを検出した上りリンクグラントに基づいて初期送信またはａｄａｐｔｉｖｅ  ＨＡＲＱによる再送信を行なう場合はカウンター（CURRENT_TX_NB）を‘０’にセットし、同一の上りリンク共用チャネルで送信する上りリンクデータ全てをｎｏｎ−ａｄａｐｔｉｖｅ  ＨＡＲＱによる再送信を行なう場合にカウンターを‘１’インクリメントする。
【０１３７】
図１２は、本発明の第５の実施形態の移動局装置１の動作の一例を示すフローチャート図である。第４の実施形態に係る図１１のフローチャート図と第５の実施形態に係る図１２のフローチャート図とを比較すると、ステップＳ５００とステップＳ６００が異なる。しかし、他のステップが持つ構成および機能は、図１１のフローチャート図と同じであるので、図１１のフローチャート図と同じステップについての説明は省略する。
【０１３８】
移動局装置１はステップＳ６００において、同一のＰＵＳＣＨで送信する複数の上りリンクデータがｎｏｎ−ａｄａｐｔｉｖｅ  ＨＡＲＱによる再送信を行なうか否かを判定する。移動局装置１はステップＳ６００において、同一のＰＵＳＣＨで送信する複数の上りリンクデータをｎｏｎ−ａｄａｐｔｉｖｅ  ＨＡＲＱによる再送信以外で送信すると判定した場合、つまり、上りリンクグラントに基づいて上りリンクデータの初期送信またはａｄａｐｔｉｖｅ  ＨＡＲＱに基づく再送信を行なうと判定した場合、カウンター（CURRENT_TX_NB）を‘０’にセットする（ステップＳ６０１）。
【０１３９】
移動局装置１はステップＳ６００において、同一のＰＵＳＣＨで送信する複数の上りリンクデータに対してｎｏｎ−ａｄａｐｔｉｖｅ  ＨＡＲＱによる再送信を行なうと判定した場合、カウンター（CURRENT_TX_NB）を‘１’インクリメントする（ステップＳ６０２）。尚、初期送信とａｄａｐｔｉｖｅ  ＨＡＲＱは、ｎｏｎ−ａｄａｐｔｉｖｅ  ＨＡＲＱと同時に発生することはない。尚、移動局装置１は、同一のＰＵＳＣＨで送信する複数の上りリンクデータのうち、一部の上りリンクデータに対するＨＡＲＱインディケータにＡＣＫを示され、残りの上りリンクデータに対するＨＡＲＱインディケータにＮＡＣＫを示された場合は、ＨＡＲＱインディケータでＮＡＣＫを示された上りリンクデータのみｎｏｎ−ａｄａｐｔｉｖｅ  ＨＡＲＱを行い、ＨＡＲＱインディケータでＡＣＫを示された上りリンクデータを送信しない。移動局装置１は、この送信しない上りリンクデータの変わりにダミービットを物理層に出力してもよいし、物理層に上りリンクデータとして何も出力しなくてもよい。
【０１４０】
第５の実施形態に係る無線通信システムと第１の実施形態に係る無線通信システムとを比較すると、移動局装置１の上位層処理部１０１が異なる。しかし、他の構成要素が持つ構成および機能は、第１の実施形態と同じであるので、第１の実施形態と同じ機能についての説明は省略する。第５の実施形態の移動局装置１の上位層処理部１０１のＨＡＲＱ制御部１０１３は、図６のフローチャート図の代わりに図１２のフローチャート図に従ってＨＡＲＱの制御を行なう。
【０１４１】
第５の実施形態のＨＡＲＱ制御部１０１３は、ＨＡＲＱ記憶部１０１５が有する同一のＰＵＳＣＨで送信される上りリンクデータ共通のカウンターを記憶させる。ＨＡＲＱ制御部１０１３は、ＨＡＲＱ記憶部１０１５に記憶させたＡＣＫまたはＮＡＣＫ、および上りリンクグラントに基づき、ＨＡＲＱ記憶部１０１５のカウンターに記憶された値を‘０’にリセットするか、‘１’インクリメントするかを制御する。ＨＡＲＱ制御部１０１３は、ＨＡＲＱ記憶部１０１５のカウンターが所定の回数（予め決められた最大送信回数）に達した場合、ＨＡＲＱ記憶部１０１５の同一のＰＵＳＣＨで送信される全ての上りリンクデータに対応する全てのＨＡＲＱバッファに記憶されている全ての上りリンクデータ（トランスポートブロック）を消去する。
【０１４２】
これにより、基地局装置３は、移動局装置１がどのような場合にＨＡＲＱバッファから上りリンクデータを消去するかを認識できるため、基地局装置３がＰＵＳＣＨの再送信を効率的に行なうことができる。
【０１４３】
また、移動局装置１が他の移動局装置１に対する上りリンクグラントを誤検出することで、基地局装置３の制御を離れてＰＵＳＣＨを誤って送信した場合に、基地局装置はこの誤って送信されたＰＵＳＣＨを検出できず、このＰＵＳＣＨに対してＡＣＫのＨＡＲＱインディケータを送信することができないため、移動局装置１はｎｏｎ−ａｄａｐｔｉｖｅ  ＨＡＲＱによるＰＵＳＣＨの再送信をし続けるが、本発明を適用することにより、上りリンクデータの送信回数が最大送信回数に達すると、ＨＡＲＱバッファに記憶されている上りリンクデータを消去し、ＰＵＳＣＨの再送信を止めるため、移動局装置１のＰＵＳＣＨの誤送信を止めることができる。
【０１４４】
また、本発明では移動局装置１がａｄａｐｔｉｖｅ  ＨＡＲＱに基づいて上りリンクデータを再送信する場合は、移動局装置１はＨＡＲＱバッファに記憶されている上りリンクデータを消去しないので、基地局装置３は、上りリンクグラントを用いてａｄａｐｔｉｖｅ  ＨＡＲＱによる上りリンクデータの再送信をさせる場合に、移動局装置１における再送信の回数を制限されることはない。これにより、基地局装置３により移動局装置１の送信状況が適切に把握され、移動局装置１が上りリンクグラントに基づいて再送信が行われるような基地局装置３の適切な管理下にある場合においては上りリンクデータの再送信を継続することが可能であり、移動局装置１がＰＨＩＣＨを誤検出して、上りリンクデータの不必要な再送信を継続することを回避することが可能である。
【０１４５】
尚、第５の実施形態では、ｎｏｎ−ａｄａｐｔｉｖｅ  ＨＡＲＱのときにカウンターを‘１’インクリメントし、上りリンクグラントに従ってＰＵＳＣＨを送信するときにカウンターを‘０’にセットしたが、ｎｏｎ−ａｄａｐｔｉｖｅ  ＨＡＲＱのときにカウンターを‘１’インクリメントし、上りリンクグラントに従ってＰＵＳＣＨを初期送信するときにカウンターを‘０’にセットし、上りリンクグラントに従ってＰＵＳＣＨを再送信する（ａｄａｐｔｉｖｅ  ＨＡＲＱ）ときにカウンターの値を保持してもよい。尚、本発明の要旨を逸脱しない範囲内において本発明の第１の実施形態から第３の実施形態と、本発明の第５の実施形態を組み合わせて用いることも可能である。
【０１４６】
例えば、第１の実施形態では、移動局装置１はステップＳ２０１においてｎｏｎ−ａｄａｐｔｉｖｅ  ＨＡＲＱによる送信か上りリンクグラントによる送信かに応じて送信回数のカウンターを制御し、ｎｏｎ−ａｄａｐｔｉｖｅ  ＨＡＲＱによる送信と判定した場合にステップＳ２０３の処理を行ない、上りリンクグラントによる送信と判定した場合にステップＳ２０２の処理を行うように、本発明の第５の実施形態を組み合わせて用いることも可能である。上記と同様に、第２の実施形態では図９のステップＳ３０１に、第３の実施形態では図１０のステップＳ４０１に、本発明の第５の実施形態を組み合わせて用いることも可能である。
【０１４７】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１４８】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。尚、ここでいう「コンピュータシステム」とは、移動局装置１、又は基地局装置３に内蔵されたコンピュータシステムであって、ＯＳや周辺機器等のハードウェアを含むものとする。
【０１４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５０】
また、上述した実施形態における移動局装置１、基地局装置３の一部、又は全部を典型的には集積回路であるＬＳＩとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５２】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  ＨＡＲＱ制御部
１０１５  ＨＡＲＱ記憶部
３０１１  無線リソース制御部
３０１３  ＨＡＲＱ制御部
３０１５  ＨＡＲＱ記憶部
【図１】
2011223127.tif 000003
【図２】
2011223127.tif 000004
【図３】
2011223127.tif 000005
【図４】
2011223127.tif 000006
【図５】
2011223127.tif 000007
【図６】
2011223127.tif 000008
【図７】
2011223127.tif 000009
【図８】
2011223127.tif 000010
【図９】
2011223127.tif 000011
【図１０】
2011223127.tif 000012
【図１１】
2011223127.tif 000013
【図１２】
2011223127.tif 000014